(57)【要約】  容器本体（Ｂ）と、キャップ（Ｃ）とを備える口紅容器（Ａ）であって、容器本体（Ｂ）は、螺合ピン（４５）が設けられた中皿体（Ｇ）と、中筒体（Ｆ）と、螺合ピン（４５）と螺合する螺旋溝（２３）が形成された内筒体（Ｅ）と、外筒体（Ｄ）とを備え、外筒体（Ｄ）を回動することにより、中皿体（Ｇ）と内筒体（Ｅ）の一方が定位置に繰り上がるとともに、一方が定位置に達した後は、外筒体（Ｄ）を回動することにより、中皿体（Ｇ）と内筒体（Ｅ）の他方が繰り上がる口紅容器（Ａ）。
2019131821.tif 000002
【特許請求の範囲】
【請求項１】
容器本体と、前記容器本体に装着するキャップとを備える口紅容器であって、
前記容器本体は、
口紅を収納し、螺合ピンが設けられた中皿体と、
前記中皿体を回転不能かつ上下動可能に案内する中筒体と、
前記中皿体の前記螺合ピンと螺合する螺旋溝が形成され、前記中筒体の外周で回動することにより前記中皿体を上下動する内筒体と、
前記内筒体の外周面に外周面が螺合される外筒体と、
を備え、
前記外筒体を回動することにより、前記中皿体と前記内筒体の一方が定位置に繰り上がるとともに、前記一方が定位置に達した後は、前記外筒体を回動することにより、前記中皿体と前記内筒体の他方が繰り上がる口紅容器。
【請求項２】
前記外筒体と前記内筒体とが螺合する際の作動抵抗は、前記中皿体の前記螺合ピンと前記内筒体の前記螺旋溝とが螺合する際の作動抵抗よりも大きい請求項１に記載の口紅容器。
【請求項３】
前記外筒体と前記内筒体とが螺合する際の作動抵抗は、前記中皿体の前記螺合ピンと前記内筒体の前記螺旋溝とが螺合する際の作動抵抗よりも小さい請求項１に記載の口紅容器。
【請求項４】
前記内筒体は、前記外筒体に螺合するねじ部を備え、
前記螺旋溝のピッチが前記ねじ部のピッチよりも大きい請求項１または２に記載の口紅容器。
【請求項５】
前記内筒体は、前記外筒体に螺合するねじ部を備え、
前記螺旋溝のピッチが前記ねじ部のピッチよりも小さい請求項１または３に記載の口紅容器。
【請求項６】
前記内筒体は、前記螺旋溝の上端部に設けられ、前記内筒体の中心軸線に沿う方向に直交する方向に沿う平面部分を有する請求項１〜５のいずれか１項に記載の口紅容器。
【請求項７】
前記内筒体は、前記外筒体に螺合するねじ部を備え、
前記ねじ部に干渉突起が形成されている請求項２または６に記載の口紅容器。
【請求項８】
前記ねじ部に干渉突起が形成されている請求項４に記載の口紅容器。
【請求項９】
前記干渉突起は、前記ねじ部に沿って間欠的に形成されている請求項７または８に記載の口紅容器。
【請求項１０】
前記干渉突起は、径方向に弾性変形可能な弁動部に形成されている請求項７から９のいずれか１項に記載の口紅容器。
【発明の詳細な説明】
【技術分野】
【０００１】
本発明は、回動操作により口紅を繰り出す口紅容器に関し、とくに、硬度が柔らかい口紅を収納する口紅容器に関するものである。本願は、２０１７年１２月２７日に日本に出願された日本国特願２０１７−２５０７７５号と、２０１８年３月３０日に日本に出願された日本国特願２０１８−０６９８６０号とに基づき優先権を主張し、その内容をここに援用する。
【背景技術】
【０００２】
口紅などの棒状化粧料を収納する円筒状の繰出容器は、従来から知られている（例えば、特許文献１参照）。この繰出容器は、容器本体と、容器本体に装着するキャップとを備え、容器本体は、棒状化粧料を収納する中皿体と、中皿体を回転不能かつ上下動可能に収容する内筒体（中筒体）と、内筒体の外周面に沿って回動することにより、中皿体を上下動する外筒体とを備える。この繰出容器では、キャップを外した後、内筒体を把持しながら、外筒体を回動させることにより、内筒体から棒状化粧料を中皿体の上下動により出没させて使用する。【０００３】
また、棒状化粧品（口紅）を必要以上に繰り出してしまうことによる棒状化粧品の折損等の事故を防止する繰出容器も、従来から知られている（例えば、特許文献２参照）。この繰出容器では、カバー（キャップ）を外すと、化粧品受皿（中皿体）と螺筒の螺合体がばねにより上方に規定量押し上げられるようにして、棒状化粧品の繰り出し量を適正量に定めることができる。また、少量繰出し操作部材を付設したことにより、棒状化粧品が消耗したときは、少量繰出し操作部材の累進操作により簡単に棒状化粧品の消耗分を補充できる。
【先行技術文献】
【特許文献】
【０００４】
【特許文献１】日本国特開２００４−０００３４３号公報
【特許文献２】日本国実公昭６４−０００８３８号公報
【発明の概要】
【発明が解決しようとする課題】
【０００５】
しかし、最近の傾向として、繰出容器に収納される口紅は、硬度が柔らかくなる方向に進んでいる。そのため、上記特許文献１記載の繰出容器では、使用者が、容器から口紅を出し過ぎてしまい、口紅を根元から折ってしまうことがある。また、上記特許文献２記載の繰出容器では、当初の口紅の繰り出し量を、化粧するには充分であるがそれ以上不必要に繰り出し過ぎないように抑えて、口紅の折損等の事故を防止できるが、当初の口紅の繰り出し量を調節できない。【０００６】
本発明は、上記問題を解決することを課題とし、使用開始時に使用者が誤って口紅を出し過ぎて、口紅が折れたりすることを防止できる口紅容器を提供することを目的とする。
【課題を解決するための手段】
【０００７】
上記の課題を解決するため、本発明の第１の態様として、容器本体と、容器本体に装着するキャップとを備える口紅容器であって、容器本体は、口紅を収納し、螺合ピンが設けられた中皿体と、中皿体を回転不能かつ上下動可能に案内する中筒体と、中皿体の螺合ピンと螺合する螺旋溝が形成され、中筒体の外周面に沿って回動することにより中皿体を上下動する内筒体と、内筒体の外周面に内周面が螺合される外筒体とを備え、外筒体を回動することにより、中皿体と内筒体の一方が定位置に繰り上がるとともに、一方が定位置に達した後は、外筒体を回動することにより、中皿体と内筒体の他方が繰り上がる口紅容器、という手段を採用する。【０００８】
本発明の第２の態様として、上記第１の態様において、螺合する外筒体と内筒体との間の作動抵抗は、螺合する中皿体の螺合ピンと内筒体の螺旋溝との間の作動抵抗よりも大きい口紅容器、という手段を採用する。本発明の第３の態様として、上記第１の態様において、螺合する外筒体と内筒体との間の作動抵抗は、螺合する中皿体の螺合ピンと内筒体の螺旋溝との間の作動抵抗よりも小さい口紅容器、という手段を採用する。本発明の第４の態様として、上記第１または２の態様において、内筒体は、外筒体に螺合するねじ部を備え、螺旋溝のピッチがねじ部のピッチよりも大きい口紅容器、という手段を採用する。本発明の第５の態様として、上記第１または３の態様において、内筒体は、外筒体に螺合するねじ部を備え、螺旋溝のピッチがねじ部のピッチよりも小さい口紅容器、という手段を採用する。本発明の第６の態様として、上記第１〜５のいずれか１つの態様において、内筒体は、螺旋溝の上端部に設けられ、内筒体の中心軸線に沿う方向に直交する方向に沿う平面部分を有する口紅容器、という手段を採用する。本発明の第７の態様として、上記第２、４、及び６の態様において、内筒体は、外筒体に螺合するねじ部を備え、ねじ部に干渉突起が形成されている口紅容器、という手段を採用する。本発明の第８の態様として、上記第７の態様において、干渉突起は、間欠的に形成されている口紅容器、という手段を採用する。第９の態様として、上記第７または８の態様において、干渉突起は、径方向に弾性変形可能な弁動部に形成されている口紅容器、という手段を採用する。
【発明の効果】
【０００９】
本発明の口紅容器は、口紅を収納し、螺合ピンが設けられた中皿体と、中皿体を回転不能かつ上下動可能に案内する中筒体と、中皿体の螺合ピンと螺合する螺旋溝が形成され、中筒体の外周面に沿って回動することにより中皿体を上下動する内筒体と、内筒体の外周面に内周面を螺合される外筒体とを備え、外筒体を回動することにより口紅を定位置まで繰り出すとともに、口紅が定位置に達した後は、外筒体をより強い力で回動することにより口紅が少しずつ繰り出される。これにより、使用開始時に使用者が誤って口紅を出し過ぎることがなく、口紅が折れたりすることを防止できる。また、本発明の口紅容器は、内筒体のねじ部に干渉突起が形成されている。そのために、外筒体の内周面と内筒体の外周面とが螺合する際の作動抵抗は、中皿体の螺合ピンと内筒体の螺旋溝とが螺合する際の作動抵抗よりも安定的に大きくすることができる。その結果、使用開始時に、外筒体を回動すると、内筒体が外筒体と一体で回動し、中皿体を定位置まで繰り上げることができる。
【図面の簡単な説明】
【００１０】
【図１】本発明の第１実施形態の口紅容器を示す側面断面図である。
【図２】第１実施形態の口紅容器における外筒体および内筒体を示す図で、（ａ）は外筒体の正面断面図、（ｂ）は外筒体の正面図、（ｃ）は内筒体の正面断面図、（ｄ）は内筒体の正面図である。
【図３】第１実施形態の口紅容器における中筒体を示す図で、（ａ）は側面断面図、（ｂ）は正面図である。
【図４】第１実施形態の口紅容器における装着筒および中皿体を示す図で、（ａ）は装着筒の側面断面図、（ｂ）は中皿体の側面断面図、（ｃ）は中皿体の正面図である。
【図５】第１実施形態の口紅容器において、口紅を定位置まで繰り出したときの状態を示す図で、（ａ）は側面断面図、（ｂ）は正面断面図である。
【図６】第１実施形態の口紅容器において、使用時の状態を示す図で、（ａ）は口紅を定位置で消耗したときの側面断面図、（ｂ）は（ａ）の状態から口紅を繰り出したときの側面断面図である。
【図７】第１実施形態の口紅容器において、内筒体を繰り上げた状態で口紅の先端部を容器本体内に戻したときの側面断面図である。
【図８】第１実施形態の変形例の口紅容器において、口紅を定位置まで繰り出したときの状態を示す側面断面図である。
【図９】第１実施形態の変形例の口紅容器において、使用時の状態を示す図で、（ａ）は口紅を定位置で消耗したときの側面断面図、（ｂ）は（ａ）の状態から口紅を繰り出したときの側面断面図である。
【図１０】本発明の第２実施形態の口紅容器を示す側面断面図である。
【図１１】第２実施形態の外筒体および内筒体を示す図で、（ａ）は外筒体の正面断面図、（ｂ）は内筒体の正面断面図である。
【図１２】第２実施形態の外筒体および内筒体を示す図で、（ａ）は内筒体の正面図、（ｂ）は外筒体と螺合する内筒体の断面拡大図である。
【図１３】第２実施形態の外筒体および内筒体を示す図で、（ａ）は内筒体の正面図、（ｂ）は外筒体と螺合する内筒体の断面拡大図である。
【図１４】第２実施形態の変形例である外筒体および内筒体を示す図で、（ａ）は内筒体の正面図、（ｂ）は（ａ）のＸ−Ｘ矢視断面図、（ｃ）は外筒体と螺合する内筒体の断面拡大図である。
【図１５】第２実施形態の変形例である外筒体および内筒体を示す図で、（ａ）は内筒体の正面図、（ｂ）は（ａ）のＹ−Ｙ矢視断面図、（ｃ）は外筒体と螺合する内筒体の断面拡大図である。
【図１６】第２実施形態の変形例である内筒体を示す図で、（ａ）は図１４の（ａ）を変形した内筒体の正面図、（ｂ）は図１５の（ａ）を変形した内筒体の正面図である。
【図１７】第２実施形態の口紅容器において、口紅を定位置まで繰り出したときの側面断面図である。
【図１８】第１実施形態及び第２実施形態の別の変形例である内筒体及び外筒体を示す図で、（ａ）外筒体に対して内筒体を定位置まで繰り下げたときの状態を示す正面断面図、（ｂ）は内筒体の正面断面図である。
【発明を実施するための形態】
【００１１】
次に、本発明の口紅容器について、各実施形態を示した図面を参照して説明する。本発明の範囲は、以下の実施の形態に限定されず、本発明の技術的思想の範囲内で任意に変更可能である。なお、以下の説明において、図１において、上下方向を「軸線方向」とし、左右方向を「水平方向」又は「軸線方向に直交する方向」とし、上方向を「上」とし、下方向を「下」とし、左方向を「正面」とし、右方向を「背面」とする。なお、軸線方向は、後述する容器本体Ｂ（外筒体Ｄ、内筒体Ｅ、中筒体Ｆ、および中皿体Ｇ）の中心軸線に沿う方向でもある。
【００１２】
（第１実施形態）
本発明に係る第１実施形態の口紅容器Ａを図１から図７を参照して説明する。図１において、口紅容器Ａは、回動操作することにより、口紅ｋを繰り出す容器本体Ｂと、容器本体Ｂの上部を覆うように、着脱自在に装着されるキャップＣとを備える。容器本体Ｂは、有底円筒状の外筒体Ｄと、外筒体Ｄの内周面に外周面が螺合される内筒体Ｅと、内筒体Ｅを回転可能に支持する中筒体Ｆと、口紅ｋを収納し、中筒体Ｆ内に回転不能かつ上下動可能に収容される中皿体Ｇとを備える。
【００１３】
図２の（ａ）および（ｂ）に示すように、外筒体Ｄは、軸線（上下）方向に延びる円筒状の外周壁１と、外周壁１の下端部から内方に延設される円板状の底壁２とを有する。外周壁１の内周面には、雌ねじ部３が、後述する内筒体Ｅの螺旋溝２３と比べて、周方向に対して緩やかな傾斜を備え、かつ小さいピッチを備えるように螺設されている。
【００１４】
図１に示すように、外筒体Ｄの上部には、装着筒１０が取り付けられている。装着筒１０は、図４の（ａ）に示すように、外筒体Ｄの外周壁１のうち内周面の上部に回動不能に嵌挿される差し込み筒部１１と、装着筒１０の略中間部から外方に突出するフランジ部１２と、フランジ部１２より上部がキャップＣにより着脱されるキャップ装着部１３と、キャップ装着部１３の上端部から縮径する環状突条１４とを有する。装着筒１０の内側には、シール筒１６が回動不能に取り付けられている。シール筒１６は、弾性材料からなり、シール筒１６の内周面の上端が、中筒体Ｆの外周面に気密に、かつ摺動可能に接触している。
【００１５】
図２の（ｃ）および（ｄ）に示すように、内筒体Ｅは、外筒体Ｄの外周壁１の高さよりも低い円筒状の本体部２１を備える。すなわち、本体部２１は、軸線方向に外筒体Ｄよりも短い。本体部２１は、本体部２１の下部の外周面に螺設され、外筒部Ｄの雌ねじ部３と螺合する雄ねじ部２２と、本体部２１の内周面に形成される２条の螺旋溝２３と、本体部２１の上部の外周面に形成され、内筒体Ｅが外筒体Ｄの内周面に沿って繰り上げられた際に、装着筒１０の差し込み筒部１１との干渉を避けるための上部縮径部２４とを有する。上部縮径部２４は、本体部２１の下部よりも縮径されている。また、２条の螺旋溝２３は、外筒体Ｄの雌ねじ部３と螺合する雄ねじ部２２のピッチよりも大きなピッチを備えるように形成される傾斜部分２３ａと、傾斜部分２３ａの傾斜上端部に形成される水平部分２３ｂとからなる。傾斜部分２３ａは、本体部２１の周方向に対して傾斜して延在している。傾斜上端部は、傾斜部分２３ａが延在する方向における傾斜部分２３ａの一端部であり、他端部よりも上側に位置する端部である。水平部分２３は、水平方向に沿う平面部分であり、内筒体Ｅの中心軸線に沿う方向に直交する方向に沿う平面部分でもあり、本体部２１の周方向に平行な方向に沿う平面部分でもある。なお、本実施形態では、２条の螺旋溝２３は、外筒体Ｄの雌ねじ部３と螺合する雄ねじ部２２のピッチよりも大きなピッチを備えるように形成されているが、これに限定されない。後述するように、外筒体Ｄの雌ねじ部３と内筒体Ｅの雄ねじ部２２とが螺合する際の作動抵抗が、中皿体Ｇの螺合ピン４５と内筒体Ｅの螺旋溝２３とが螺合する際の作動抵抗よりも小さい場合には、２条の螺旋溝２３は、外筒体Ｄの雌ねじ部３と螺合する雄ねじ部２２のピッチよりも小さなピッチを備えるように形成されていても構わない。
【００１６】
図１に示すように、中筒体Ｆは、中間部の係止突部３４によってシール筒１６の内側に抜け止めされた状態で、内筒体Ｅに対して回動自在に設けられている。中間部は、中間体Ｆのうち軸線方向の略中間に位置している部分であり、係止突部３４は、中間部から径方向外側に向けて突設されている。図３に示すように、中筒体Ｆは、中間部の係止突部３４より上部に位置する収納筒部３１と、係止突部３４より下部に位置するガイド筒部３２とを備える。ガイド筒部３２には、軸線方向に延び、対向する２本のスリット部３３が形成されている。２本のスリット部３３は、ガイド筒部３２の径方向に対向している。
【００１７】
図１および図４の（ｂ）および（ｃ）に示すように、中皿体Ｇは、上部に位置し、口紅ｋを収納する円筒状の皿側壁４１と、皿側壁４１の下端部から内方に形成され、中心部が開口するリング状の皿底壁４２と、口紅ｋの下部を中皿体Ｇに保持するために、皿側壁４１の内周面から径方向に突設されているとともに、軸線方向に延びる複数本の収納リブ４３と、皿側壁４１の下端部から垂設され、中筒体Ｆのガイド筒部３２の内周面に外周面が摺接する円筒状の案内筒壁４４とを有する。
【００１８】
さらに、案内筒壁４４の下端部の外周面には、中筒体Ｆのガイド筒部３２に形成されたスリット部３３を貫通し、内筒体Ｅの螺旋溝２３と螺合する２個の螺合ピン４５が突設されている。螺合ピン４５は、案内筒壁４４から径方向外側に向けて突設されている。ここで、外筒体Ｄの雌ねじ部３と内筒体Ｅの雄ねじ部２２とが螺合する際の作動抵抗と、中皿体Ｇの螺合ピン４５と内筒体Ｅの螺旋溝２３とが螺合する際の作動抵抗とは、一方が他方よりも大きくなるように設定されている。
【００１９】
図１に示すように、キャップＣは、周縁から中心に向けて膨らみを有する円板状の頂壁５１と、頂壁５１の外縁から垂設される円筒状の側周壁５２とを備える。側周壁５２は、内周面が装着筒１０のキャップ装着部１３の外周面に接触して装着筒１０に嵌合する内径を備えるように形成されている。
【００２０】
次に、本実施形態の使用方法と作用効果について図面を参照しながら説明する。口紅ｋを使用する際には、図１に示す口紅容器Ａの容器本体ＢからキャップＣを外した後、中筒体Ｆの収納筒部３１を手指で把持しながら、外筒体Ｄの外周壁１を中筒体Ｆに対して（外筒体Ｄを軸線方向の下側から見て）時計回りに回動させる。このとき、外筒体Ｄの雌ねじ部３と内筒体Ｅの雄ねじ部２２とが螺合する際の作動抵抗が、中皿体Ｇの螺合ピン４５と内筒体Ｅの螺旋溝２３とが螺合する際の作動抵抗よりも大きくなるように設定されている場合には、使用開始時に、内筒体Ｅは、外筒体Ｄと一体で回動する。
【００２１】
そして、内筒体Ｅが外筒体Ｄと一体で回動すると、中皿体Ｇは、内筒体Ｅの螺旋溝２３に螺合する螺合ピン４５が、中筒体Ｆのスリット部３３に沿って繰り上がり始めるとともに、繰り上がり始める。やがて、図５の（ｂ）に示すように、中皿体Ｇの螺合ピン４５は、内筒体Ｅの回動に伴い、螺旋溝２３の傾斜部分２３ａの傾斜上端部まで繰り上がると、傾斜部分２３ａから連続する水平部分２３ｂにより、中皿体Ｇは、定位置で繰り上がりを停止する。これにより、図５の（ａ）に示すように、口紅ｋの先端部は、中筒体Ｆの収納筒部３１から突出し、口紅ｋを使用することができる。なお、螺旋溝２３の水平部分２３ｂは、内筒体Ｅの本体部２１に貫通された開口部を形成してもよい。
【００２２】
このように、口紅容器Ａを使用する際に、使用者が誤って外筒体Ｄを一気に回動したとしても、図１、および図５の（ａ）および（ｂ）に示す初期状態（使用開始状態）では、内筒体Ｅの螺旋溝２３の傾斜部分２３ａのピッチが大きいことから、口紅ｋを収納する中皿体Ｇは、ストレスなく図５の（ａ）および（ｂ）に示す位置まで上昇する。しかし、中皿体Ｇをさらに上昇させるために内筒体Ｅを外筒体Ｄに対して上昇させるには、外筒体Ｄを初期状態より大きい力で回動する必要があるため、口紅ｋを中筒体Ｆの収納筒部３１から出し過ぎて折ってしまうことを防止できる。以上のように、図２の（ｃ）に示す内筒体Ｅの本体部２１の内周面に形成される螺旋溝２３の軸線方向の長さ（高さ）を調整することにより、初期状態での口紅ｋの最大繰り出し量を設定することができる。なお、内筒体Ｅに形成される螺旋溝２３や外筒体Ｄに形成される雌ねじ部３のピッチの大きさは、自由に設定することが可能で、繰り出す口紅ｋの量（長さ）に応じて適宜選択することができる。
【００２３】
次に、口紅ｋを使用後、図５の（ａ）および（ｂ）に示す状態から口紅ｋの先端部を中筒体Ｆの収納筒部３１内に収納した状態に戻す際には、外筒体Ｄの外周壁１を中筒体Ｆに対して（外筒体Ｄを軸線方向の下側から見て）反時計回りに回動する。このとき、内筒体Ｅは、外筒体Ｄの内周面上で繰り上がっていない。すなわち、内筒体Ｅは、外筒体Ｄの底壁部２に接している。そのために、外筒体Ｄの雌ねじ部３と、雄ねじ部２２により螺合された内筒体Ｅは、外筒体Ｄと一体で回動する。すると、中皿体Ｇの螺合ピン４５は、内筒体Ｅの螺旋溝２３に螺合する際の作動抵抗が小さいことにより、中皿体Ｇは、スムースに中筒体Ｆのスリット部３３に沿って下降し、口紅ｋの先端部を収納筒部３１内に戻すことができる。
【００２４】
次に、図６の（ａ）に示すように、口紅ｋを中筒体Ｆから繰り出して使用することにより口紅ｋが消耗した場合について説明する。この場合には、中筒体Ｆの収納筒部３１を手指で把持しながら、外筒体Ｄの外周壁１を中筒体Ｆに対して（外筒体Ｄを軸線方向の下側から見て）時計回りに回動しようとしても、内筒体Ｅのうち螺旋溝２３の上端部である水平部分２３ｂに中皿体Ｇの螺合ピン４５が係合している。そのために、内筒体Ｅは、初期状態と同等の力で外筒体Ｄを回動しても、これ以上回動できない。しかし、初期状態より大きい力で外筒体Ｄを回動すると、内筒体Ｅは、雄ねじ部２２と螺合する外筒体Ｄの雌ねじ部３の回動によって、外筒体Ｄの内周面に沿って回転を規制されながら少しずつ繰り上がる。すなわち、内筒体Ｅは、外筒体Ｄの底壁部２から離間する。
【００２５】
これと同時に、図６の（ｂ）に示すように、口紅ｋを収納する中皿体Ｇは、中筒体Ｆのスリット部３３に沿って繰り上がる。これにより、口紅ｋの先端部は、中筒体Ｆの収納筒部３１から突出し、口紅ｋを使用することができる。さらに、口紅ｋを使用することにより口紅ｋが消耗した場合には、図６の（ａ）および（ｂ）で説明したように、外筒体Ｄをさらに回動することにより、図７に示すように、内筒体Ｅの上端が中筒体Ｆの係止突部３４に当接する上限位置まで内筒体Ｅを繰り上げることができる。
【００２６】
口紅ｋを使用後、図６の（ｂ）に示す状態から口紅ｋの先端部を中筒体Ｆの収納筒部３１内に収納した状態に戻す際には、外筒体Ｄの外周壁１を中筒体Ｆに対して（外筒体Ｄを軸線方向の下側から見て）反時計回りに回動する。このとき、内筒体Ｅは、中皿体Ｇの螺合ピン４５により回動が規制されないために、外筒体Ｄの雌ねじ部３と雄ねじ部２２により螺合される内筒体Ｅは、外筒体Ｄと一体で回動する。そのため、内筒体Ｅが外筒体Ｄの内周面に沿って繰り下がることは、ほとんどない。すると、中皿体Ｇの螺合ピン４５は、内筒体Ｅの螺旋溝２３に、中皿体Ｇの螺合ピン４５と内筒体Ｅの螺旋溝２３が螺合する際の作動抵抗が外筒体Ｄの雌ねじ部３と内筒体Ｅの雄ねじ部２２とが螺合する際の作動抵抗よりも小さくなるように螺合されていることにより、中皿体Ｇは、スムースに中筒体Ｆのスリット部３３に沿って下降し、口紅ｋの先端部を収納筒部３１内に戻すことができる。
【００２７】
（変形例）
次に、本発明に係る第１実施形態の変形例を図８から図９の（ａ）及び（ｂ）を参照して説明する。第１実施形態の変形例として、外筒体Ｄの雌ねじ部３と内筒体Ｅの雄ねじ部２２とが螺合する際の作動抵抗が、中皿体Ｇの螺合ピン４５と内筒体Ｅの螺旋溝２３とが螺合する際の作動抵抗よりも小さくなるように設定されている場合を説明する。このような場合には、図１に示す口紅容器Ａの容器本体ＢからキャップＣを外した後、中筒体Ｆの収納筒部３１を手指で把持しながら、外筒体Ｄの外周壁１を中筒体Ｆに対して（外筒体Ｄを軸線方向の下側から見て）時計回りに回動すると、内筒体Ｅは、雄ねじ部２２と螺合する外筒体Ｄの雌ねじ部３の回動によって、外筒体Ｄの内周面に沿って、回転を規制されながら繰り上がる。
【００２８】
これと同時に、図８に示すように、口紅ｋを収納する中皿体Ｇは、中筒体Ｆに沿って繰り上がることによって、口紅ｋの先端部は、中筒体Ｆの収納筒部３１から突出し、口紅ｋを使用することができる。さらに、口紅ｋを使用することにより、図９の（ａ）に示すように、口紅ｋが消耗した場合には、外筒体Ｄをさらに回動することにより、図９の（ｂ）に示すように、中皿体Ｇの螺合ピン４５は、内筒体Ｅの回動に伴い、螺旋溝２３の傾斜部分２３ａの傾斜上端部まで繰り上げることができる。
【００２９】
（第２実施形態）
次に、本発明に係る第２実施形態を図１０から図１３及び図１７を参照して説明する。第２実施形態として、使用開始時に、口紅容器Ａを回動させると、確実に中皿体Ｇが先に繰り上がり、その後、必要に応じて内筒体Ｅが繰り上がるように、外筒体Ｄに対する内筒体Ｅの作動抵抗を安定させるために、第１実施形態の外筒体Ｄおよび内筒体Ｅの構成を変更した場合を説明する。以下、第１実施形態と同一の構成部分には同一の符号を付し、外筒体Ｄおよび内筒体Ｅにおける変更部分に新たな符号を付し、相違点を中心に説明する。
【００３０】
図１０において、口紅容器Ａは、回動操作することにより、口紅ｋを繰り出す容器本体Ｂと、容器本体Ｂの上部を覆うように、着脱自在に装着されるキャップＣとを備える。容器本体Ｂは、有底円筒状の外筒体Ｄａと、外筒体Ｄａの内周面に外周面が螺合される内筒体Ｅａと、内筒体Ｅａを回転可能に支持する中筒体Ｆと、口紅ｋを収納し、中筒体Ｆ内に回転不能かつ上下動可能に収容される中皿体Ｇとを備える。
【００３１】
図１１の（ａ）に示すように、外筒体Ｄａは、軸線方向に延びる円筒状の外周壁６と、外周壁６の下端部から内方に延設される底壁７とを有し、外周壁６の内周面には、ねじ山部８が、後述する内筒体Ｅａのねじ溝部７２と螺合するように、下端部から上部の途中まで形成されている。図１０に示すように、外筒体Ｄａの上部には、装着筒６０が取り付けられている。装着筒６０の内側には、シール筒６１が回動不能に取り付けられている。シール筒６１は、弾性材料からなり、シール筒６１の内周面の上端が、中筒体Ｆの外周面に気密にかつ摺動可能に接触している。
【００３２】
図１１の（ｂ）に示すように、内筒体Ｅａは、外筒体Ｄａの外周壁６の高さよりも低い円筒状の本体部７１と、本体部７１の外周面の下端部から上端部まで螺設され、外筒体Ｄａのねじ山部８と螺合するねじ溝部７２（ねじ部）と、本体部７１を径方向に貫通して形成される２条の螺旋溝７３とを有する。また、２条の螺旋溝７３は、外筒体Ｄａのねじ山部８と螺合するねじ溝部７２のピッチよりも大きなピッチで形成される傾斜部分７３ａと、傾斜部分７３ａの傾斜上端部に形成される水平部分７３ｂとからなる。水平部分７３ｂは、水平方向に沿う平面部分であり、内筒体Ｅａの中心軸線に沿う方向に直交する方向に沿う平面部分でもあり、本体部７１の周方向に平行な方向に沿う平面部分でもある。
【００３３】
図１２の（ａ）および（ｂ）に示すように、本体部７１の外周面に螺設されたねじ溝部７２には、ねじ溝部７２と、外筒体Ｄａのねじ山部８とが螺合する際の作動抵抗を増大するために、本体部７１の下端部から１周だけ、ねじ溝部７２の上面に沿って干渉突起７４が形成されている。すなわち、干渉突起７４は、ねじ溝部７２の上面から下方に向けて突出するとともに、ねじ溝部７２のうち本体部７１の下端部から始まる１周分に上面に沿って延在する干渉突起である。ただし、本実施形態では、干渉突起７４は、ねじ溝部７２の上面に沿って形成されているが、これに限定されない。干渉突起７４は、ねじ溝部７２のどの部分に形成されていてもよく、例えば、図１３の（ａ）および（ｂ）に示すように、干渉突起７４は、ねじ溝部７２の底面に沿って形成されていてもよい。すなわち、干渉突起７４は、ねじ溝部７２の底面から本体部７１の径方向外方に向けて突出するとともに、ねじ溝部７２のうち本体部７１の下端部から１周分に、ねじ溝部７２の底面に沿って延在する干渉突起でもよい。また、ねじ溝部７２の上面と下面とに交互に設けられていてもよい。すなわち、干渉突起７４は、ねじ溝部７２の上面から下方に向けて突出する第１干渉突起と、ねじ溝部７２の下面から上方に向けて突出する第２干渉突起とを備え、ねじ溝部７２のうち本体部７１の下端部から始まる１周分に、第１干渉突起および第２干渉突起がねじ溝部７２の上面と下面とに交互に設けられている干渉突起でもよい。
【００３４】
さらに、本実施形態では、干渉突起７４は、本体部７１の下端部から始まるねじ溝部７２の１周分だけに設けられている。これは、内筒体Ｅａが外筒体Ｄａの内周面に沿って繰り上がる際に、図１１の（ａ）に示すように、外筒体Ｄａのねじ山部８が外周壁６の内周面の上端まで螺設されていないためである。これは、外筒体Ｄａの成型に当たって、螺設されるねじ山部８の周回数を少なくする方が製造し易いからである。しかしながら、外筒体Ｄａのねじ山部８を外周壁６の内周面の上端まで螺設するのであれば、干渉突起７４は、ねじ溝部７２の全長のうちどの部分に形成されていても構わない。また、干渉突起７４は、ねじ溝部７２に沿って、連続して形成される必要はなく、間欠に形成されていてもよい。
【００３５】
図１０に示すように、中筒体Ｆは、中間部の係止突部３４によってシール筒６１の内側に抜け止めされた状態で、内筒体Ｅａに対して回動自在に設けられている。中間部は、中間体Ｆの軸線方向の略中間に位置している。中筒体Ｆは、中間部の係止突部３４より上部に位置する収納筒部３１と、係止突部３４より下部に位置するガイド筒部３２とを備える。ガイド筒部３２には、軸線方向に延び、対向する２本のスリット部３３が形成されている。２本のスリット部３３は、ガイド筒部３２の径方向に対向している。
【００３６】
図１０に示すように、中皿体Ｇは、上部に位置し、口紅ｋを収納する円筒状の皿側壁４１と、皿側壁４１の下端部から内方に形成され、中心部が開口するリング状の皿底壁４２と、口紅ｋの下部を中皿体Ｇに保持するために、皿側壁４１の内周面から径方向に突設されているとともに、軸線方向に延びる複数本の収納リブ４３と、皿側壁４１の下端部から垂設され、中筒体Ｆのガイド筒部３２の内周面に外周面が摺接する円筒状の案内筒壁４４とを有する。さらに、案内筒壁４４の下端部の外周面には、中筒体Ｆのガイド筒部３２に形成されたスリット部３３を貫通し、内筒体Ｅａの螺旋溝７３と螺合する２個の螺合ピン４５が突設されている。
【００３７】
また、中皿体Ｇに収納される口紅ｋに含まれる揮発成分の揮散を防止するとともに、摩耗粉や塵などの進入を防止するために、図１０に示すように、中筒体Ｆの収納筒部３１の上端部に、内カバー５０が装着されている。図１０に示すように、キャップＣは、周縁から中心に向けて膨らみを有する円板状の頂壁５１と、頂壁５１の外縁から垂設される円筒状の側周壁５２とを備え、側周壁５２は、内周面が装着筒６０の外周面に接触するように装着筒６０に嵌合されている。頂部５１の膨らみは、上方に膨出している。
【００３８】
次に、本実施形態の使用方法と作用効果について図面を参照しながら説明する。口紅ｋを使用する際には、図１０に示す口紅容器Ａの容器本体ＢからキャップＣを外す。さらに、中筒体Ｆから内カバー５０を外した後、中筒体Ｆの収納筒部３１を手指で把持しながら、外筒体Ｄａの外周壁６を中筒体Ｆに対して（外筒体Ｄを軸線方向の下側から見て）時計回りに回動すると、外筒体Ｄａのねじ山部８と内筒体Ｅａのねじ溝部７２とが螺合する際の作動抵抗は、図１２および図１３に示すように、内筒体Ｅａのねじ溝部７２に干渉突起７４が形成されているために、中皿体Ｇの螺合ピン４５と内筒体Ｅａの螺旋溝７３とが螺合する際の作動抵抗よりも確実に大きくすることができる。これにより、使用開始時に、内筒体Ｅａは、外筒体Ｄａと一体で回動する。
【００３９】
さらに、内筒体Ｅａが外筒体Ｄａと一体で回動すると、中皿体Ｇは、内筒体Ｅａの螺旋溝７３に螺合する螺合ピン４５が、中筒体Ｆのスリット部３３に沿って繰り上がり始めるとともに、繰り上がり始める。やがて、中皿体Ｇの螺合ピン４５は、内筒体Ｅａの回動に伴い、螺旋溝７３の傾斜部分７３ａから連続する水平部分７３ｂまで繰り上がる。これにより、中皿体Ｇは、定位置で繰り上がりを停止し、図１７に示すように、口紅ｋの先端部は、中筒体Ｆの収納筒部３１から突出し、口紅ｋを使用することができる。
【００４０】
以上のように、本実施形態では、内筒体Ｅａのねじ溝部７２に干渉突起７４が形成されている。そのために、外筒体Ｄａのねじ山部８と内筒体Ｅａのねじ溝部７２とが螺合する際の作動抵抗は、中皿体Ｇの螺合ピン４５と内筒体Ｅａの螺旋溝７３とが螺合する際の作動抵抗よりも安定的に大きくすることができる。なお、内筒体Ｅａのねじ溝部７２に形成される干渉突起７４の形状や大きさは、必要とする作動抵抗の大きさに応じて適宜設定することができる。
【００４１】
（変形例）
次に、本発明に係る第２実施形態の変形例１を、図１４から図１６を参照して説明する。第２実施形態の変形例として、内筒体Ｅａのねじ溝部７２に形成される干渉突起７４に換えて、図１４の（ａ）〜（ｃ）に示すように、ねじ溝部７２に沿う隙間ｓ１によって上下端が分離された薄肉の弁動部７６と、弁動部７６の中央部に形成された干渉突起７７とが設けられた内筒体Ｅａについて説明する。すなわち、本体部７１は、ねじ溝部７２に沿って延在する隙間ｓ１を備え、薄肉の弁動部７６は、本体部７１のうち隙間ｓ１を形成する上面及び下面から上下端が分離されるように形成されるとともに、ねじ溝部７２が延在する方向に延在し、干渉突起７７は、ねじ溝部７２が延在する方向における弁動部７６の中央部に弁動部７６の径方向外側に向けて突出している。本変形例では、弁動部７６は、ねじ溝部７２に沿って横方向に形成されているが、これに限定されない。弁動部は、図１５の（ａ）〜（ｃ）に示すように、ねじ溝部７２と交差して縦方向に形成された弁動部７８でもよい。この場合には、薄肉の弁動部７８は、ねじ溝部７２と交差する縦方向に沿う隙間ｓ２によって左右端が分離され、弁動部７８のねじ溝部７２と交差する位置に干渉突起７９が形成されている。すなわち、本体部７１は、ねじ溝部７２と交差する縦方向に沿って延在する隙間ｓ２を備え、薄肉の弁動部７８は、本体部７１のうち隙間ｓ２を形成する周方向に対向する２つの面から左右端が分離されるように形成されるとともに、ねじ溝部７２と交差する縦方向に延在し、干渉突起７７は、弁動部７８のねじ溝部７２と交差する位置に干渉突起７９が形成されている。
【００４２】
図１４の（ａ）〜（ｃ）および図１５の（ａ）〜（ｃ）に示す弁動部７６、７８は、両端が本体部７１と連結されている。すなわち、弁動部７６は、ねじ溝部７２が延在する方向における両端が本体部７１に連結されており、弁動部７８は、ねじ溝部７２と交差する縦方向における両端が本体部７１に連結されている。ただし、弁動部は、図１６の（ａ）および（ｂ）に示すように、片側だけが本体部７１と連結され、他側が隙間ｓ１またはｓ２によって分離された片持ち構造の弁動部７６ａ、７８ａであっても構わない。すなわち、弁動部は、図１６の（ａ）に示すように、ねじ溝部７２が延在する方向における両端のうち、一端が本体部７１と連結され、他端が隙間ｓ１によって分離されて本体部７１に連結されていない弁動部７６ａであってもよく、図１６の（ｂ）に示すように、ねじ溝部７２と交差する縦方向における両端のうち、一端が本体部７１と連結され、他端が隙間ｓ２によって分離されて本体部７１に連結されていない弁動部７８ａであってもよい。弁動部７６、７６ａ、７８、７８ａは、内筒体Ｅａに少なくとも１箇所形成されていれば作動抵抗を安定させることができるが、複数の弁動部が内筒体Ｅａの周上の互いに対向する位置に形成されていることがより好ましい。すなわち、ねじ溝部７２が延在する方向に延在する複数の弁動部７６、７６ａが、内筒体Ｅａの外周面において、ねじ溝部７２が延在する方向に互いに対向する位置に形成されることが好ましく、ねじ溝部７２と交差する縦方向に延在する複数の弁動部７８、７８ａが、内筒体Ｅａの外周面において、径方向に互いに対向する位置に形成することが好ましい。また、本変形例では、干渉突起７４の代わりに弁動部７６、７６ａ、７８、７８ａに支持された干渉突起７７、７７ａ、７９、７９ａを内筒体Ｅａに形成しているが、干渉突起７４と、弁動部７６、７６ａ、７８、７８ａに支持された干渉突起７７、７７ａ、７９、７９ａとを併用しても構わない。
【００４３】
次に、本変形例の使用方法と作用効果について図面を参照しながら説明する。外筒体Ｄａのねじ山部８と内筒体Ｅａのねじ溝部７２とが螺合する際の作動抵抗は、図１４〜図１６に示すように、内筒体Ｅａのねじ溝部７２に干渉突起７７、７７ａ、７９、７９ａを有する薄肉の弁動部７６、７６ａ、７８、７８ａが形成されていることにより、干渉突起７７、７７ａ、７９、７９ａに外筒体Ｄａのねじ山部８が当接すると、弁動部７６、７６ａ、７８、７８ａの弾性変形により干渉突起７７、７７ａ、７９、７９ａが径方向に押圧される。これにより、外筒体Ｄａのねじ山部８と内筒体Ｅａのねじ溝部７２とが螺合する際に、適度な作動抵抗を付与することができる。
【００４４】
以上のように、本変形例では、外筒体Ｄａのねじ山部８と内筒体Ｅａのねじ溝部７２とに寸法誤差があっても、作動抵抗を付与する干渉突起７７、７７ａ、７９、７９ａは、弾性変形可能な弁動部７６、７６ａ、７８、７８ａに支持されることにより、径方向に出没させることができる。これにより、外筒体Ｄａのねじ山部８と内筒体Ｅａのねじ溝部７２とが螺合する際に、適度な作動抵抗を付与しつつ、両者をスムースに螺合させることができる。
【００４５】
以上、図面を参照しながら本発明の実施形態及び変形例について説明したが、本発明は上記実施形態及び変形例に限定されるものではない。
【００４６】
本発明の口紅容器は、外筒体Ｄ、Ｄａに設けられた係合部と、内筒体Ｅ、Ｅａに設けられ、係合部に係合可能な被係合部とを備え、係合部と被係合部を係合することにより外筒体Ｄ、Ｄａと内筒体Ｅ、Ｅａとの相対回転を規制するストッパー装置を備えてもよい。例えば、係合部は、図１８の（ａ）に示すように、外筒体Ｄ、Ｄａの外周壁１、６の内周面のうち下端部に設けられたリブ８０であり、被係合部は、図１８の（ａ）および（ｂ）に示すように、内筒体Ｅ、Ｅａの本体部２１、７１の外周面のうち下端部に設けられ、リブ８０と係合可能な段部８２でもよい。
【００４７】
より詳しく説明すると、リブ８０は、ねじ山部８の螺旋方向における両端部のうち下側に位置する一端部（下端部）の近くに形成され、外周壁６の内周面から径方向内側に向けて突出している突起である。ねじ山部８の螺旋方向とは、ねじ山部８自体の螺旋形状に沿う方向を意味する。リブ８０は、図１８の（ａ）に示すように、ねじ山部８の螺旋方向に沿って延在している突起である。一例として
リブ８０のような突起を説明しているが、リブ８０の代わりに別の形状を有する突起を設けてもよい。後述するように内筒体Ｅ、Ｅａを繰り下げることにより段部８２の側面８３に当接可能な突起であるならば、突起の形状は限定されない。そのため、リブ８０の代わりに、ねじ山部８の螺旋方向に沿って延在しない突起を設けてもよい。
【００４８】
段部８２は、内筒体Ｅ、Ｅａの本体部７１をその下端面から上方に向けて凹むように切り欠いて形成されている切り欠きである。段部８２は、内筒体Ｅ、Ｅａが繰り下がるように回転する方向に向く側面８３と、側面８３の上端からねじ溝部７２の螺旋方向に沿って延在し、下方を向く上面８４とを備える。ねじ溝部７２の螺旋方向とは、ねじ溝部７２自体の螺旋形状に沿う方向を意味する。段部８０は、図１８の（ａ）および（ｂ）に示す形状を有する切り欠きである。一例として段部８０のような切り欠きを説明しているが、段部８０の代わりに別の形状を有する切り欠きを設けてもよい。後述するように、内筒体Ｅ、Ｅａを繰り下げることによりリブ８０に当接可能な側面を備える切り欠きであるならば、切り欠きの形状は限定されない。そのため、段部８０の代わりに、内筒体Ｅ、Ｅａの本体部２１、７１を径方向に貫通せずに、本体部２１、７１の外周面から径方向内側に向けて凹む形状を有する切り欠きを設けてもよい。
【００４９】
このようなリブ８０（突起、係合部）を備える外筒体Ｄ、Ｄａ及び段部８２（切り欠き、被係合部）を備える内筒体Ｅ、Ｅａによれば、外筒体Ｄ、Ｄａに対して内筒体Ｅ、Ｅａを繰り下げることにより、段部８２を形成する側面８３を、延在するリブ８０に沿う方向におけるリブ８０の両端のうち上側に位置する一端（上端）８１に、徐々に近づけて当接させることができる。これにより、外筒体Ｄ、Ｄａのリブ８０（突起、係合部）と、内筒体Ｅ、Ｅａの段部８２（切り欠き、被係合部）とを係合させることができるため、外筒体Ｄ、Ｄａと内筒体Ｅ、Ｅａとの相対回転を規制することができる。さらに、リブ８０（突起、係合部）が、ねじ山部８の螺旋方向における両端部のうち下側に位置する一端部（下端部）の近くに形成されている。これにより、内筒体Ｅ、Ｅａの本体部２１、７１と、外筒体Ｄ、Ｄａの底壁２、７とが軸線方向で所定の距離離間している位置において、内筒体Ｅ、Ｅａの繰り下げを停止させることができる。その結果、次に、外筒体Ｄ、Ｄａに対して内筒体Ｅ、Ｅａが繰り上がる際に、内筒体Ｅ、Ｅａの本体部２１、７１と、外筒体Ｄ、Ｄａの底壁２、７とが軸線方向で所定の距離離間している状態から内筒体Ｅ、Ｅａが繰り上がるため、内筒体Ｅ、Ｅａの本体部２１、７１と、外筒体Ｄ、Ｄａの底壁２、７とが面接触することにより外筒体Ｄ、Ｄａに対して内筒体Ｅ、Ｅａが繰り上がり難くなること、を防止することができる。なお、上記の所定の距離は、種々の条件を考慮して、外筒体Ｄ、Ｄａの軸線方向におけるリブ８０（突起、係合部）の位置を調節することにより適宜設定される。
【００５０】
上述した実施形態及び変形例に示した各構成部材の諸形状や組み合わせ等は一例であって、本発明の趣旨から逸脱しない範囲において設計要求等に基づき種々変更可能である。例えば、本発明の趣旨を逸脱しない範囲で、上記実施形態及び変形例に示した各構成要素を適宜組み合わせてもよい。
【産業上の利用可能性】
【００５１】
本発明の口紅容器は、使用開始時に使用者が誤って口紅を出し過ぎて、口紅が折れたりすることを防止できるので、最近の硬度が柔らかい口紅を収納する口紅容器として好適に利用できる。
【符号の説明】
【００５２】
Ａ  口紅容器
Ｂ  容器本体
Ｃ  キャップ
Ｄ、Ｄａ  外筒体
Ｅ、Ｅａ  内筒体
Ｆ  中筒体
Ｇ  中皿体
ｋ  口紅
ｓ１、ｓ２  隙間
１、６  外周壁
２、７  底壁
３  雌ねじ部
８  ねじ山部
１０、６０  装着筒
１１  差し込み筒部
１２  フランジ部
１３  キャップ装着部
１４  環状突条
１６、６１  シール筒
２１、７１  本体部
２２  雄ねじ部（ねじ部）
２３、７３  螺旋溝
２３ａ、７３ａ  傾斜部分
２３ｂ、７３ｂ  水平部分（平面部分）
２４  上部縮径部
３１  収納筒部
３２  ガイド筒部
３３  スリット部
３４  係止突部
４１  皿側壁
４２  皿底壁
４３  収納リブ
４４  案内筒壁
４５  螺合ピン
５０  内カバー
５１  頂壁
５２  側周壁
７２  ねじ溝部（ねじ部）
７４、７７、７７ａ、７９、７９ａ  干渉突起
７６、７６ａ、７８、７８ａ  弁動部
８０  リブ（突起、係合部）
８１  上端
８２  段部（切り欠き、被係合部）
８３  側面
８４  上面
【図１】
2019131821.tif 000003
【図２】
2019131821.tif 000004
【図３】
2019131821.tif 000005
【図４】
2019131821.tif 000006
【図５】
2019131821.tif 000007
【図６】
2019131821.tif 000008
【図７】
2019131821.tif 000009
【図８】
2019131821.tif 000010
【図９】
2019131821.tif 000011
【図１０】
2019131821.tif 000012
【図１１】
2019131821.tif 000013
【図１２】
2019131821.tif 000014
【図１３】
2019131821.tif 000015
【図１４】
2019131821.tif 000016
【図１５】
2019131821.tif 000017
【図１６】
2019131821.tif 000018
【図１７】
2019131821.tif 000019
【図１８】
2019131821.tif 000020
【国際調査報告】
2019131821.tif 000021
2019131821.tif 000022
2019131821.tif 000023